(57)【要約】  ねじ山付き首部と少なくとも一つのロックする凹んだ環状のスロットまたは溝を持った上面を有する上肩部を有する容器のための一体型締め回し式子供開封防止性栓（１）であって、栓は固い材料の側壁（３）からなり、側壁は更に押圧された時にビンから栓の回し開けを許容する少なくとも一つの柔軟なパネル（２）からなり、各柔軟なパネルは容器の対応するロックする凹んだスロットまたは溝とかみ合う少なくとも一つの垂直タブ（４）を含む。
2010526742.tif 000002
【特許請求の範囲】
【請求項１】
ねじ山付き首部と少なくとも一つのロックする凹んだ環状のスロットまたは溝を持った上面を有する上肩部を有する容器のための一体型締め回し式子供開封防止性栓であって、栓は固い材料の側壁からなり、側壁は更に押圧された時にビンから栓の回し開けを許容する少なくとも一つの柔軟なパネルからなり、各柔軟なパネルは容器の対応するロックする凹んだスロットまたは溝とかみ合う少なくとも一つの垂直タブを含む、一体型栓。
【請求項２】
少なくとも二つの柔軟なパネルから更になる、請求項１の一体型栓。
【請求項３】
ビンの反対側に位置する二つの柔軟なパネルからなる、請求項２の一体型栓。
【請求項４】
側壁の内側直径を支える少なくとも一つの垂直補強リブから更になる、請求項１の一体型栓。
【請求項５】
少なくとも一つの垂直タブを支える少なくとも一つの補強リブから更になる、請求項１の一体型栓。
【請求項６】
容器の開口部に栓をするプラグシールから更になる、請求項１の一体型栓。
【請求項７】
容器と容器のための一体型締め回し式子供開封防止性栓からなる子供開封防止性パッケージであって、容器はねじ山付き首部と少なくとも一つのロックする環状の凹んだスロットまたは溝を持った上面を有する上肩部を有し、栓は固い材料の側壁からなり、側壁は更に押圧された時に容器から栓の回し開けを許容する少なくとも一つの柔軟なパネルからなり、各可動パネルは容器の対応するロックする凹んだスロットまたは溝とかみ合う垂直タブを含む、パッケージ。
【請求項８】
ビンの少なくとも一つの環状のスロットまたは溝は、柔軟なパネルをまず押圧せずに栓を取り除くことを防止する、請求項７のパッケージ。
【請求項９】
栓は少なくとも二つの柔軟なパネルから更になる、請求項７のパッケージ。
【請求項１０】
栓はビンの反対側に位置する二つの柔軟なパネルからなる、請求項９のパッケージ。
【請求項１１】
栓は側壁の内側直径を支える少なくとも一つの垂直補強リブから更になる、請求項７のパッケージ。
【請求項１２】
栓は少なくとも一つの垂直タブを支える少なくとも一つの補強リブから更になる、請求項７のパッケージ。
【請求項１３】
栓は容器の開口部に栓をするプラグシールから更になる、請求項７のパッケージ。
【請求項１４】
容器は少なくとも一つの指つかみから更になる、請求項７のパッケージ。
【請求項１５】
栓の外側直径は容器の外側直径とマッチする、請求項７のパッケージ。
【発明の詳細な説明】
【技術分野】
【０００１】
発明の描写的側面は、薬剤用などの子供開封防止性パッケージに関する。
【背景技術】
【０００２】
米国特許第５，６７１，８５３号は、子供開封防止性の一体型容器および一体型栓の組立品についてのものである。
【０００３】
改良された一体型締め回し式子供開封防止性の一体型容器の必要がある。第三の部品を持たない二体型パッケージの更なる必要がある。立ち上がった射出成形されたタブから鋭いエッジを排除する必要が更にある。
【発明の概要】
【０００４】
発明の第一の側面は、容器のための一体型締め回し式子供開封防止性栓についてのものである。
【０００５】
第二の側面は、容器と容器のための一体型締め回し式子供開封防止性栓からなる子供開封防止性パッケージについてのものである。
【図面の簡単な説明】
【０００６】
【図１】図１ａ、１ｂ、１ｃは、発明の一側面に従った容器のための栓の上面図、側面図、下面図をそれぞれ描いている。図１ｄは、Ａ−Ａラインに沿って撮られた図１ｂの断面図を描いている。図１ｅは、栓の斜視図を描いている。
【図２】図２ａ、２ｂ、２ｃは、発明の一側面に従った図１の栓と共に使用するための容器の上面図、側面図、下面図をそれぞれ描いている。図２ｄは、別の側面図を描き、図２ｅは、Ａ−Ａラインに沿って撮られた図２ｃの断面側面図を描いている。図２ｆは、図２ｅ中の円Ｂの拡大図である。
【図３】図３は、発明の側面に従った栓と容器の組み合わせの側面図を描いている。
【図４】図４は、発明の側面に従った栓と容器の組み合わせの正面図を描いている。
【図５】図４は、発明の側面に従った栓と容器の組み合わせの斜視図を描いている。
【図６】図６は、発明の側面に従った栓の上面図を描く。
【発明を実施するための形態】
【０００７】
本発明の描写的側面を記載する。これらの側面は発明の例を提供するものに過ぎず、言うまでも無く側面は発明の骨子から逸脱することなく好適に変形することができる。
【０００８】
発明の側面は、固いかまたは堅い材料の一体型締め回し式子供開封防止性栓を含んだ子供開封防止性パッケージを含む。図３に示すように、栓１は、ビンのような容器１０上に置かれる。ビンは、ねじ山付き首部１１と、上肩部の上面から形成された凹んだ「吹き込み」スロットまたは溝１３を持つ上肩部１２を有する。図２も見よ。
【０００９】
図１に示されるように、栓１は、側壁３上に少なくとも一つの柔軟な（可動な）パネル２を有する。図１は、二つの柔軟なパネルを描いているが、いかなる好適な数の柔軟なパネルを用いても良い。柔軟なパネルは、押圧された時に、容器から栓の回し開けを許容する。より特定には、各柔軟なパネルは、容器の上肩部１２に形成された環状のスロットまたは溝１３の内側の対応するロックする表面とかみ合う少なくとも一つの垂直タブ４を含む。この配置は、柔軟なパネルをまず押圧せずに栓を取り除くことを防止する。柔軟なパネルを押圧することは、タブをロックする表面から開放する。ロックする表面は、「吹き込み」上肩部と容器の上表面の一体的な部分である。図３を見よ。
【００１０】
側壁３は典型的には、ビンの外側直径とマッチする外側直径を有する。栓とタブは図１ｅと３に示されるように補強リブ１４と１５を有していても良い。
【００１１】
図２ｂ−２ｅと３−６に示されるような指つかみ１７を有する掴み易いビン上でキャップを使うことができる。
【００１２】
発明の側面は更に、「液漏れなし」要求および／または高価なインダクションフォイルシールの排除のためのオプションの差し込みシールリング１６を含む。しかしながら、もし望ましければフォイルシールを持つライナーも施しても良い。
【００１３】
一体型締め回し式栓は、年長者に優しい。本発明は、凹んだスロット１３を使うことによって鋭いエッジを持つ立ち上がったラグを排除し、角度の付いた側壁を排除し、滑らかな垂直の側壁がパッケージのより良い積み上げのために上表面を増加することを許容する。
【００１４】
栓と容器の形状は、パッケージの一番下から一番上まで形状が維持されるので、より良い店頭存在感を提供する。店は容易に積み上げできるパッケージを好むので、パッケージはまた百貨店に優しい。発明の側面は更に、積み上げを助けるように栓の頭にオプションの積み上げリングを含む。
【００１５】
パッケージは、錠剤や液体のような薬剤のために使われても良い。パッケージはその他の物品を保持するために使われても良い。
【００１６】
上述された例の構造および方法との関係で発明の様々な側面が記載されたが、既知であっても現在予見できないかも知れなくても、様々な代替物、変形、変更、改良および／または実質的な同等物が当業者には明白となるだろう。従って、上述されたような例の構造と方法は、発明を描写するものとして意図されており、それを限定するものではない。発明の精神と範囲から逸脱することなく様々な変更を行っても良い、従って、発明は、全ての既知であるかまたは後に開発された代替物、変形、変更、改良および／または実質的な同等物を包含することを意図されている。
【図１Ａ】
2010526742.tif 000003
【図１Ｂ】
2010526742.tif 000004
【図１Ｃ】
2010526742.tif 000005
【図１Ｄ】
2010526742.tif 000006
【図１Ｅ】
2010526742.tif 000007
【図２Ａ】
2010526742.tif 000008
【図２Ｂ】
2010526742.tif 000009
【図２Ｃ】
2010526742.tif 000010
【図２Ｄ】
2010526742.tif 000011
【図２Ｅ】
2010526742.tif 000012
【図２Ｆ】
2010526742.tif 000013
【図３】
2010526742.tif 000014
【図４】
2010526742.tif 000015
【図５】
2010526742.tif 000016
【図６】
2010526742.tif 000017
【国際調査報告】
2010526742.tif 000018
2010526742.tif 000019